(57)【要約】【課題】表示部を囲繞する枠体の外観品位を向上させることができる表示装置及びテレビジョン受信機を提供する。【解決手段】枠部材４１，４２における凹凸の係合及び接触によって、金属を用いてなる枠部材４１が、合成樹脂を用いてなる枠部材４２を補強することができる。故に、枠部材４１より剛性が低い枠部材４２においても歪みの発生を抑制することができる。枠部材４１，４２の歪みが抑制されているので、隣り合う枠部材４１，４２同士の間に隙間が生じることが抑制される。故に、枠体３の外観品位を向上させることができる。枠体３を構成する枠部材４１〜４４の内、枠部材４２，４３が合成樹脂を用いてなるので、枠部材４１〜４４全てが金属部材である場合よりも容易に、製造コスト又は設計条件等の要件を満たすことができる。【選択図】図２
2016066950.tif 000002
【特許請求の範囲】
【請求項１】
盤状の表示部と、
該表示部の周縁部を外周側から覆う板状の枠本体、及び、該枠本体から内側に突出し、前記表示部の周縁部を一面側から覆う板枠部を有する断面Ｌ字状の枠体と
を備え、
該枠体は、複数個の枠部材を前記枠体の周方向に突き合わせて継合してなり、
各枠部材は、前記枠本体及び板枠部夫々の一部を有している表示装置であって、
隣り合う２個の枠部材の一方は合成樹脂を用いてなり、他方は金属を用いてなり、
前記２個の枠部材夫々の板枠部には、前記２個の枠部材同士を継合するための互いに係合する凹凸が設けられており、
前記一方が有する板枠部の外面の一部は、前記他方が有する板枠部の内面の一部に接触していることを特徴とする表示装置。
【請求項２】
前記外面の一部は前記外面の他部に対して凹状であるか、又は、
前記内面の一部は前記内面の他部に対して凹状であることを特徴とする請求項１に記載の表示装置。
【請求項３】
前記凹凸は、各板枠部に、厚み方向に設けられていることを特徴とする請求項１又は２に記載の表示装置。
【請求項４】
前記２個の枠部材夫々の板枠部における互いに接触する部分の一方には位置決めピンが突設されており、他方には前記位置決めピンが遊挿される位置決め孔が開設されていることを特徴とする請求項１から３の何れかひとつに記載の表示装置。
【請求項５】
前記２個の枠部材の内、
一方には前記２個の枠部材を突き合わせる方向に沿う条状部が設けられており、
他方には前記条状部に近接配置された近接部が設けられていることを特徴とする請求項１から４の何れかひとつに記載の表示装置。
【請求項６】
前記２個の枠部材夫々は前記枠本体から内側に突出した突出部を有し、
該突出部同士に、枠部材同士を継合するための互いに係合する係合部が設けられていることを特徴とする請求項１から５の何れかひとつに記載の表示装置。
【請求項７】
盤状の表示部と、
該表示部の周縁部を外周側から覆う板状の枠本体、及び、該枠本体から内側に突出し、前記表示部の周縁部を一面側から覆う板枠部を有する断面Ｌ字状の枠体と
を備え、
該枠体は、複数個の枠部材を前記枠体の周方向に突き合わせて継合してなり、
各枠部材は、前記枠本体及び板枠部夫々の一部を有している表示装置であって、
隣り合う２個の枠部材の一方は合成樹脂を用いてなり、他方は金属を用いてなり、
前記２個の枠部材夫々の板枠部には、前記２個の枠部材同士を継合するための互いに係合する凹凸が設けられており、
前記２個の枠部材夫々は前記枠本体から内側に突出した突出部を有し、
該突出部同士に、枠部材同士を継合するための互いに係合する係合部が設けられていることを特徴とする表示装置。
【請求項８】
請求項１から７の何れかひとつに記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示部と枠体とを備える表示装置及びテレビジョン受信機に関する。
【背景技術】
【０００２】
従来、矩形平盤状の表示部を矩形枠状の枠体に取り付けてなる表示装置が提案されている。枠体は、矩形枠の４辺部を構成する４個の枠部材を有する（特許文献１，２参照）。
特許文献１に記載の表示装置においては、矩形枠の周方向に隣り合う２個の枠部材同士を、枠部材とは別体の接合部材が接合している。
【０００３】
特許文献２に記載の表示装置が備える枠体は、断面形状が内側に向かって開いたコ字状である。枠部材夫々は、表示部の周縁部を覆う側壁と、側壁の正面側端部及び背面側端部夫々から突出する前壁及び後壁とを一体に有する。
隣り合う２個の枠部材同士は、互いに突き合わさる位置に設けられたほぞ組構造によって継合されている。このために、隣り合う２個の枠部材の内、一方の枠部材の後壁にはほぞが形成されており、他方の枠部材の後壁にはほぞ穴が形成されている。ほぞ穴にほぞが嵌合することによって、２個の枠部材は継合される。
【０００４】
特許文献２に記載の表示装置においては、接合部材を用いることなく枠部材同士を継合しているので、部品点数の低減及び表示装置の小型軽量化を図ることができる。
【先行技術文献】
【特許文献】
【０００５】
【特許文献１】特開２００５−１７３９７号公報
【特許文献２】特許第５５５４８７０号公報
【発明の概要】
【発明が解決しようとする課題】
【０００６】
一般に、枠体は合成樹脂製である。故に、各枠部材も合成樹脂製である。
合成樹脂製の枠部材は、金属製の枠部材に比べて剛性が低いので、外力による捻じれ又は撓み等の歪みを生じ易い。枠部材が歪んでいると、隣り合う２個の枠部材同士の間に無用な隙間が生じる。故に、枠体の外観品位が劣化する。
一方、金属製の枠部材は、合成樹脂製の枠部材に比べて剛性が高いので、外力による歪みを生じ難い。
とはいえ、金属製の枠体は、製造コスト又は設計条件等の観点から、採用できない場合がある。
【０００７】
本発明は斯かる事情に鑑みてなされたものであり、その主たる目的は、枠体の外観品位を向上させることができる表示装置及びテレビジョン受信機を提供することにある。
【課題を解決するための手段】
【０００８】
本発明に係る表示装置は、盤状の表示部と、該表示部の周縁部を外周側から覆う板状の枠本体、及び、該枠本体から内側に突出し、前記表示部の周縁部を一面側から覆う板枠部を有する断面Ｌ字状の枠体とを備え、該枠体は、複数個の枠部材を前記枠体の周方向に突き合わせて継合してなり、各枠部材は、前記枠本体及び板枠部夫々の一部を有している表示装置であって、隣り合う２個の枠部材の一方は合成樹脂を用いてなり、他方は金属を用いてなり、前記２個の枠部材夫々の板枠部には、前記２個の枠部材同士を継合するための互いに係合する凹凸が設けられており、前記一方が有する板枠部の外面の一部は、前記他方が有する板枠部の内面の一部に接触していることを特徴とする。
【０００９】
本発明に係る表示装置は、前記外面の一部は前記外面の他部に対して凹状であるか、又は、前記内面の一部は前記内面の他部に対して凹状であることを特徴とする。
【００１０】
本発明に係る表示装置は、前記凹凸は、各板枠部に、厚み方向に設けられていることを特徴とする。
【００１１】
本発明に係る表示装置は、前記２個の枠部材夫々の板枠部における互いに接触する部分の一方には位置決めピンが突設されており、他方には前記位置決めピンが遊挿される位置決め孔が開設されていることを特徴とする。
【００１２】
本発明に係る表示装置は、前記２個の枠部材の内、一方には前記２個の枠部材を突き合わせる方向に沿う条状部が設けられており、他方には前記条状部に近接配置された近接部が設けられていることを特徴とする。
【００１３】
本発明に係る表示装置は、前記２個の枠部材夫々は前記枠本体から内側に突出した突出部を有し、該突出部同士に、枠部材同士を継合するための互いに係合する係合部が設けられていることを特徴とする。
【００１４】
本発明に係る表示装置は、盤状の表示部と、該表示部の周縁部を外周側から覆う板状の枠本体、及び、該枠本体から内側に突出し、前記表示部の周縁部を一面側から覆う板枠部を有する断面Ｌ字状の枠体とを備え、該枠体は、複数個の枠部材を前記枠体の周方向に突き合わせて継合してなり、各枠部材は、前記枠本体及び板枠部夫々の一部を有している表示装置であって、隣り合う２個の枠部材の一方は合成樹脂を用いてなり、他方は金属を用いてなり、前記２個の枠部材夫々の板枠部には、前記２個の枠部材同士を継合するための互いに係合する凹凸が設けられており、前記２個の枠部材夫々は前記枠本体から内側に突出した突出部を有し、該突出部同士に、枠部材同士を継合するための互いに係合する係合部が設けられていることを特徴とする。
【００１５】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【発明の効果】
【００１６】
本発明の表示装置及びテレビジョン受信機による場合、金属を用いてなる枠部材（以下、金属枠部材という）が、合成樹脂を用いてなる枠部材（以下、樹脂枠部材という）を補強することによって、樹脂枠部材に歪みが発生することを抑制することができる。
枠部材の歪みが抑制されているので、隣り合う２個の枠部材同士の間に隙間が生じることが抑制される。故に、枠体の外観品位を向上させることができる。
枠体を構成する複数個の枠部材は、一部（枠部材が偶数個であれば半数）が樹脂枠部材であるので、全てが金属部材である場合よりも容易に、製造コスト又は設計条件等の要件を満たすことができる。
【図面の簡単な説明】
【００１７】
【図１】本発明の実施の形態１に係る表示装置を備えるテレビジョン受信機の外観を示す斜視図である。
【図２】テレビジョン受信機の上端部の内部構成を示す断面図である。
【図３】表示装置が備える枠部材の構成を示す斜視図である。
【図４】枠部材の構成（左上隅）を示す拡大斜視図である。
【図５】枠部材の構成（右上隅）を示す拡大斜視図である。
【図６】本発明の実施の形態２に係る表示装置を備えるテレビジョン受信機の上端部の内部構成を示す断面図である。
【図７】表示装置が備える枠部材の構成を示す斜視図である。
【図８】枠部材の構成を示す拡大斜視図である。
【図９】本発明の実施の形態３に係る表示装置を備えるテレビジョン受信機の上端部の内部構成を示す断面図である。
【発明を実施するための形態】
【００１８】
以下、本発明を、その実施の形態を示す図面に基づいて詳述する。以下の説明では、図において矢符で示す上下、前後、及び左右を使用する。
【００１９】
（実施の形態  １．）
図１は、本発明の実施の形態１に係る表示装置１１を備えるテレビジョン受信機１の外観を示す斜視図である。
図２は、テレビジョン受信機１の上端部の内部構成を示す断面図である。
図３は、表示装置１１が備える枠部材４１〜４３の構成を示す斜視図である。
図４は、枠部材４１，４２の構成を示す拡大斜視図である。図４は図３の左上隅部分を示している。
図５は、枠部材４１，４３の構成を示す拡大斜視図である。図５は図３の右上隅部分を示している。
【００２０】
テレビジョン受信機１は、表示装置１１、受信部１２、信号処理部１３、スタンド１４、及び背面カバー１５を備えている。
表示装置１１は、表示部２及び枠体３を備えている。
表示部２は、表示パネル２１、光学シート群２２、導光板２３、反射シート２４、ＢＬシャーシ２５、ベゼル２６、Ｐシャーシ２７、及び図示しない光源部を備えている。
枠体３は枠本体３１及び板枠部３２を有し、枠部材４１〜４４を用いて構成されている。
【００２１】
まず、図１を参照しつつ、テレビジョン受信機１の大略について説明する。
テレビジョン受信機１は据え置き式である。表示装置１１は正面視矩形状である。表示装置１１は受信部１２及び信号処理部１３を内蔵している。スタンド１４は、表示装置１１を載置台（例えばいわゆるテレビ台）に載置するための脚部として機能し、表示装置１１を縦姿勢で支持する。
なお、テレビジョン受信機１は、据え置き式に限定されず、例えば壁掛け式でもよい。この場合、テレビジョン受信機１がスタンド１４を備えている必要はない。
受信部１２及び信号処理部１３は表示装置１１の外部にあってもよい。
【００２２】
次に、図１及び図２を参照しつつ、表示部２の各部について説明する。
表示パネル２１は液晶表示パネルを用いてなる。表示パネル２１は矩形状であり、縦姿勢で配されている。表示パネル２１は、矩形状の表示領域と表示領域を囲繞する矩形枠状の額縁領域とを有する。表示パネル２１は、正面側のガラス基板と背面側のガラス基板とを有し、２枚のガラス基板の間には液晶が封止されている。表示パネル２１の光透過率は、表示パネル２１の液晶に印加された電圧に応じて変化する。
【００２３】
光学シート群２２は、各矩形状の複数枚の光学シートが積層されてなる。光学シート群２２を構成している各光学シートは、光の拡散機能又は集光機能等を有する。光学シート群２２は、表示パネル２１に背面側から対面配置されている。光学シート群２２は、表示パネル２１の背面側にて表示パネル２１の表示領域を覆う。
【００２４】
導光板２３は矩形板状になしてある。導光板２３は、光学シート群２２に背面側から対面配置されている。
導光板２３は、導光板２３の内部に入射した光が、導光板２３の前面から出射するようにしてある。このために、導光板２３の後面には、図示しない複数の反射部が設けられている。反射部に入射した光は、正面側へ反射する。
反射シート２４は矩形状である。反射シート２４の前面は、導光板２３の後面に密着配置されている。従って、導光板２３の後面から出射した光は、反射シート２４に反射して、再び導光板２３の内部に入射する。
【００２５】
光源部は、導光板２３の下方にて導光板２３の下端面に対向配置されている。
なお、光源部は、導光板２３の上方、左方、及び右方の何れか一方に配されていてもよい。又は、２個の光源部が、導光板２３の上下両方又は左右両方に１個ずつ配されていてもよい。
【００２６】
ＢＬシャーシ２５は縦姿勢の矩形皿状であり、矩形皿の底面部に相当する背板部２５１と、矩形皿の周面部に相当する側板部２５２とを有する。ＢＬシャーシ２５は、導光板２３、反射シート２４、及び光源部を収容している。光源部は、図示しないヒートシンクを介して側板部２５２に取り付けられている。ＢＬシャーシ２５には、ネジを挿通すべき挿通孔（各不図示）が形成されている。
ベゼル２６は、前面部２６１と側面部２６２とを有する。前面部２６１は矩形枠状であり、矩形枠の開口を通して表示パネル２１の表示領域を露出させた状態で、表示パネル２１の額縁領域を正面側から覆う。側面部２６２は矩形筒状であり、前面部２６１の外周縁部から後ろ向きに突出している。側面部２６２は、表示パネル２１及び光学シート群２２夫々の周縁部とＢＬシャーシ２５の側板部２５２とを外側から覆っている。
【００２７】
Ｐシャーシ２７は、ベゼル２６の側面部２６２及び／又はＢＬシャーシ２５の側板部２５２に取り付けられている枠状部材である。Ｐシャーシ２７とベゼル２６の前面部２６１との間には、適宜の緩衝部材を介して、表示パネル２１が挟持されている。Ｐシャーシ２７には、光学シート群２２の上辺部が取り付けられている。Ｐシャーシ２７とＢＬシャーシ２５の背板部２５１との間には、適宜の緩衝部材を介して、導光板２３及び反射シート２４が挟持されている。
以上のような表示部２は矩形平盤状である。
【００２８】
次に、図１〜図５を参照しつつ、枠体３の各部について説明する。
枠本体３１は、表示部２の周縁部を外周側から覆う正面視矩形環状の板状である。更に詳細には、枠本体３１は、表示部２の上辺部、左辺部、右辺部、及び下辺部を外周側から覆う各板状の天壁部４１１、左壁部４２１、右壁部４３１、及び底壁部を有する。天壁部４１１、左壁部４２１、右壁部４３１、及び底壁部は、枠本体３１の上枠部、左枠部、右枠部、及び下枠部に相当する。
【００２９】
板枠部３２は、枠本体３１から枠の内側に突出する矩形枠状の板状である。板枠部３２は、表示部２の周縁部を背面側から覆う。更に詳細には、板枠部３２は、表示部２の上端部、左端部、右端部、及び下端部を背面側から覆う各板状の天後壁部４１２、左後壁部４２２、右後壁部４３２、及び底後壁部を有する。天後壁部４１２、左後壁部４２２、右後壁部４３２、及び底後壁部は、板枠部３２の上枠部、左枠部、右枠部、及び下枠部に相当する。
【００３０】
天後壁部４１２は、天壁部４１１の後端部から下側に突出している。枠部材４１は金属を用いてなり、天壁部４１１及び天後壁部４１２を一体に有している断面Ｌ字状の部材である。
左後壁部４２２は、左壁部４２１の後端部から右側に突出している。枠部材４２は合成樹脂を用いてなり、左壁部４２１及び左後壁部４２２を一体に有している断面Ｌ字状の部材である。
右後壁部４３２は、右壁部４３１の後端部から左側に突出している。枠部材４３は合成樹脂を用いてなり、右壁部４３１及び右後壁部４３２を一体に有している断面Ｌ字状の部材である。
同様に、枠部材４４は金属を用いてなり、底壁部及び底後壁部を一体に有している断面Ｌ字状の部材である。
【００３１】
枠体３は、４個の枠部材４１〜４４を突き合わせて継合してなる正面視ロ字枠状、且つ断面Ｌ字状である。つまり、枠部材４１〜４４は枠体３の周方向に隣り合い、隣り合う２個の枠部材の一方（枠部材４１，４４）は金属を用いてなり、他方（枠部材４２，４３）は合成樹脂を用いてなる。
【００３２】
なお、枠体３は、例えば枠部材４４を備えていなくてもよい。この場合の枠体３は、３個の枠部材４１〜４３を突き合わせて継合してなる正面視コ字枠状、且つ断面Ｌ字状である。また、枠体３は、５個以上の枠部材を用いてなる構成でもよい。
以下では、枠部材４１と枠部材４２との継合、及び枠部材４１と枠部材４３との継合について説明し、枠部材４２と枠部材４４との継合、及び枠部材４３と枠部材４４との継合については説明を省略する。
【００３３】
枠部材４３の構成は、枠部材４１の構成と同様である。ただし、枠部材４１と及び枠部材４３夫々の形状は左右対称の鏡像の関係にある。
枠部材４１と枠部材４３との継合は、枠部材４１と枠部材４２との継合を左右逆にしたものである。
以上のことから、以下では、枠部材４１及び枠部材４２夫々の構成を詳述し、枠部材４１と枠部材４２との継合について説明する。
【００３４】
まず、枠部材４１の構成を詳述する。
枠部材４１の天壁部４１１は平面視矩形状であり、上側に凸状の湾曲板状である。
枠部材４１の天後壁部４１２は矩形平板状である。天後壁部４１２の左右方向の長さは、天壁部４１１よりも短い。故に、天壁部４１１の左右両端部は、天後壁部４１２よりも左右両方向に突出している。天後壁部４１２は、凸条部５１、先細リブ５２、２本の条状部５３，５３、並びに、各２個の位置決め孔５４，５４及び挿通孔５５，５５を有する。
【００３５】
凸条部５１は、天後壁部４１２の内面（前面）における上端部に、天後壁部４１２の左右両端部に亘って設けられている。即ち、凸条部５１の長手方向は左右方向である。また、凸条部５１は、本発明の実施の形態における互いに係合し、板枠部３２に厚み方向に設けられている凹凸の一方であり、他方は後述する凹条部６１である。凸条部５１の短手方向上端部は天壁部４１１と一体である。凸条部５１は、前向きの面及び下向きの面を有する。
【００３６】
先細リブ５２は、天後壁部４１２の外面（後面）における天壁部４１１近傍に突設してある。先細リブ５２は左右方向の条状であり、天後壁部４１２の左右両端部に亘っている。先細リブ５２は天後壁部４１２を補強する。
条状部５３，５３は、天後壁部４１２の内面に、互いに平行に凸設してある。各条状部５３は、左右方向に沿って天後壁部４１２の左右両端部に亘って配されている。条状部５３，５３は、天後壁部４１２を補強するリブとしても機能する。なお、天後壁部４１２は、内面に凸設された２本の条状部５３，５３に限定されず、例えば内面に凹設された１本の条状部５３を有していてもよい。
【００３７】
位置決め孔５４，５４は、天後壁部４１２の左右両端部に１個ずつ形成してある。
挿通孔５５，５５は、天後壁部４１２の左右両端部における位置決め孔５４，５４よりも左右方向中央部側に１個ずつ形成してある。
位置決め孔５４，５４及び挿通孔５５，５５は、条状部５３，５３の間に配されている。
【００３８】
次に、枠部材４２の構成を詳述する。
枠部材４２の左壁部４２１は側面視矩形状であり、左側に凸状の湾曲板状である。
枠部材４２の左後壁部４２２は矩形平板状であるが、矩形の左上隅部分は切り欠き状に欠落している。この欠落は、枠部材４１，４２の継合時に左後壁部４２２が枠部材４１の天後壁部４１２に無用に干渉することを避けるためのものである。左後壁部４２２は、接触部６０、凹条部６１、先細リブ６２、２個の近接部６３，６３、位置決めピン６４、挿通孔６５、及び２個の補強リブ６６，６６を有する。
【００３９】
接触部６０は、左後壁部４２２の上端部に設けられている。接触部６０は、左後壁部４２２の外面（後面）における凹状部分である。接触部６０は、前向きの内面である接触面６００と、接触面６００を縁どる左向き又は上向きの内側面とを有する。左後壁部４２２の内面（前面）における接触部６０に対応する部分は凸状である。接触部６０の深さ（前後方向の長さ）は、枠部材４１の天後壁部４１２の厚みと同程度である。
【００４０】
凹条部６１は、接触部６０の外面における上端部に、左後壁部４２２の左右両端部に亘って設けられている。即ち、凹条部６１の長手方向は左右方向である。凹条部６１は、後ろ向きの面及び上向きの面の２面からなる。凹条部６１は、接触部６０の後ろ面側（左後壁部４２２の外面側）においては凹状であるが、左後壁部４２２の内面における凹条部６１に対応する部分は凸状である。
【００４１】
先細リブ６２は、左後壁部４２２の外面における右端部に突設してある。先細リブ６２は上下方向の条状であり、左後壁部４２２の上下両端部に亘っている。先細リブ６２は左後壁部４２２を補強する。
【００４２】
近接部６３，６３は、左後壁部４２２の内面（更に詳細には、左後壁部４２２の内面における接触部６０に対応する部分）に、互いに平行に凸設してある横姿勢の板状である。各近接部６３は、左右方向に沿って左後壁部４２２の左右両端部に亘って配されている。近接部６３，６３の離隔距離は、枠部材４１の条状部５３，５３の離隔距離より短い。近接部６３，６３は、左後壁部４２２（特に接触部６０の接触面６００）を補強するリブとしても機能する。
【００４３】
位置決めピン６４は、左後壁部４２２の上端部の外面（更に詳細には、接触部６０の接触面６００）に突設してある。位置決めピン６４の突設位置は、接触面６００における近接部６３，６３の間に対応する位置である。位置決めピン６４は円柱状であり、位置決めピン６４の外径は、位置決めピン６４を枠部材４１の位置決め孔５４に遊挿可能な長さである。
【００４４】
挿通孔６５は、左後壁部４２２の上端部における接触部６０よりも上下方向中央部側に形成してある。
補強リブ６６，６６は、左後壁部４２２の内面における挿通孔６５の開口周縁部近傍に設けてある。補強リブ６６，６６は横姿勢の板状であり、左後壁部４２２を補強する。
【００４５】
次に、枠部材４１と枠部材４２との継合、及び枠体３の表示部２に対する取り付けについて説明する。
製造者は、枠部材４１の左端部に対して枠部材４２の上端部を枠部材４１の左側から右方向に突き合わせる。
このために、製造者は、まず、枠部材４１の条状部５３，５３の間に、枠部材４２の近接部６３，６３を挿入し、次いで、枠部材４２の位置決めピン６４を、枠部材４１の右端部側の位置決め孔５４に後ろ側から挿入する。
【００４６】
このとき、上側（及び下側）の近接部６３は、上側（及び下側）の条状部５３に案内される。この結果、枠部材４１，４２が容易に正確に突き合わされる。また、位置決めピン６４の位置決め孔５４に対する挿入によって、枠部材４１，４２が互いに位置決めされる。更に、枠部材４２の接触部６０の接触面６００が、枠部材４１の天後壁部４１２における位置決め孔５４の周縁部を含む内面に接触する。換言すれば、枠部材４１の天後壁部４１２の一部が、枠部材４２の左後壁部４２２の一部を背面側から覆う。
【００４７】
次に、製造者は、枠部材４１の凸条部５１と枠部材４２の凹条部６１とを係合させる。このとき、凹条部６１は、凸条部５１の下端部を下側から受けるようにして凸条部５１と係脱可能に係合する。凸条部５１と凹条部６１との係合によって、凹条部６１の後ろ向きの面及び上向きの面は、枠部材４１の天後壁部４１２の凸条部５１における前向きの面及び下向きの面に接触する。
【００４８】
以上の結果、枠部材４１と枠部材４２とが継合する。このとき、枠部材４１の天壁部４１１の左端部が、枠部材４２の左壁部４１１及び左後壁部４２２夫々の上端部を上側から覆う。近接部６３は、条状部５３に近接配置される。枠部材４１の左側の挿通孔５５が枠部材４２の挿通孔６５に臨んで配される。
同様にして、枠部材４１と枠部材４３とが継合する。また、枠部材４２と枠部材４４とが継合し、枠部材４３と枠部材４４とが継合する。
【００４９】
製造者は、継合された枠部材４１，４２を含む枠体３を、背面側から表示部２の周縁部に配置する。次に、製造者は、枠部材４１の左側の挿通孔５５及び枠部材４２の挿通孔６５に図示しないネジを挿通し、枠部材４１の天後壁部４１２及び枠部材４２の左後壁部４２２と表示部２のＢＬシャーシ２５とを共締めする。
以上の結果、枠体３は表示部２に取り付けられて表示部２の周縁部を外周側及び背面側から覆う。
【００５０】
次に、枠部材４１，４２の継合に関する作用効果を説明する。
枠部材４１は剛性が高いので、歪みを生じ難い。
枠部材４２は枠部材４１よりも剛性が低い。しかしながら、枠部材４１，４２の継合により、枠部材４２は歪みを生じ難い。何故ならば、枠部材４１，４２の凸条部５１と凹条部６１とが係合し、更に天後壁部４１２と左後壁部４２２とが接触しているので、枠部材４２が枠部材４１に補強されるからである。
仮に、天後壁部４１２と左後壁部４２２との接触がない場合、枠部材４２は、左壁部４２１を中心に左後壁部４２２が背面側へ向けて回転するような歪みを生じ易い。しかしながら、枠部材４２が回転しようとしても、左後壁部４２２が天後壁部４１２に当接するので、回転は停止する。故に、枠部材４２の歪みは抑制される。
【００５１】
枠部材４１の凸条部５１と枠部材４２の凹条部６１との係合は、枠部材４１の天後壁部４１２及び枠部材４２の左後壁部４２２夫々の厚み方向の凹凸による係合であるので、外部から視認し難い。故に、枠体３の美観が向上する。
枠部材４１の天後壁部４１２の内面と枠部材４２の左後壁部４２２の外面における接触部６０の接触面６００とが接触することによって、天後壁部４１２の外面と左後壁部４２２の接触面６００を除く外面とが面一になる。何故ならば、接触部６０が凹状だからである。このため、枠体３の美観が向上する。
【００５２】
位置決め孔５４は、枠部材４１の正面側及び背面側の何れからであっても容易に視認される。しかも、位置決め孔５４の寸法は位置決めピン６４の外径よりも大きい。故に、位置決め孔５４に対する位置決めピン６４の挿入作業は作業性が向上されている。
条状部５３，５３及び近接部６３，６３並びに位置決めピン６４及び位置決め孔５４によって枠部材４１，４２の継合の作業性が向上されている。
枠部材４１，４２の継合は作業性が高いので、継合作業中に製造者が枠部材４１，４２に無用な外力を加えてしまう可能性が低い。故に、枠部材４１，４２の継合時に枠体３に歪みが生じることが抑制される。
【００５３】
次に、表示装置１１の残りの各部について説明する。
受信部１２は、図示しない受信回路が実装された回路基板である。受信回路は、図示しないアンテナを介して外部からテレビジョン放送を受信する。
信号処理部１３は、図示しない信号処理回路が実装された回路基板である。信号処理回路は、受信部１２が受信したテレビジョン信号に所定の信号処理を施すことによって、映像データを出力する。
出力された映像データは、図示しない液晶駆動部に入力される。液晶駆動部は、入力された映像データに基づいて、表示パネル２１の液晶に電圧を印加する。
背面カバー１５は、枠体３に囲繞されている表示部２を背面側から覆う。
【００５４】
次に、表示パネル２１における映像の表示について説明する。
光源部が発した光は、導光板２３の下端面から導光板２３の内部に入射する。
導光板２３の内部に入射した光の一部は、導光板２３の前面、後面、又は反射部等にて反射し、やがて前面から光学シート群２２へ出射する。導光板２３の内部に入射した光の他の一部は、導光板２３の後面から出射し、反射シート２３に反射して再び導光板２３の内部に入射する。
【００５５】
光学シート群２２へ出射した光は、光学シート群２２による拡散及び集光等を経て、表示パネル２１の後面から表示パネル２１の内部に入射する。
以上のように、表示パネル２１は、背面側から照明される。表示パネル２１の内部に入射した光は、表示パネル２１を透過するか、又は、表示パネル２１の通過を遮断される。この結果、表示パネル２１の表示領域に映像が表示される。
【００５６】
以上のようなテレビジョン受信機１は、金属を用いてなる枠部材４１，４４が、合成樹脂を用いてなる枠部材４２，４３を補強することによって、枠部材４２，４３に歪みが発生することを抑制することができる。故に、枠体３に歪みが発生することを抑制することができる。
枠体３に歪みがないので、枠部材４１，４２間、枠部材４１，４３間、枠部材４２，４４間、又は枠部材４３，４４間に無用な隙間が生じる虞がない。従って、枠体３の外観品位を向上させることができる。
【００５７】
枠体３を構成する枠部材４１〜４４の内、２個だけが金属を用いてなるので、枠体３は、４個全てが金属を用いてなる場合よりも、容易に製造コスト又は設計条件等の要件を満たすことができる。
【００５８】
また、枠体３の周方向に隣り合う２個の枠部材が、視覚的な印象が互いに異なる素材を用いてなる。故に、テレビジョン受信機１の意匠性が向上する。しかも、枠体３の上枠部及び下枠部を構成する２個の枠部材４１，４４が金属を用いてなるので、テレビジョン受信機１の高級感が向上する。
更に、特許文献１に記載されているような接合部材を用いることなく、凹凸の係合によって枠部材４１〜４４同士を継合することは、部品点数の低減及びテレビジョン受信機１の小型軽量化に寄与する。
【００５９】
枠体３は、隣り合う２個の枠部材同士が継合している状態で表示部２にネジ留めされるので、枠体３を構成する枠部材４１〜４４が無用に分離する虞はない。故に、隣り合う２個の枠部材同士をネジで固定する必要はない。換言すれば、枠体３に必要なネジの本数を減少させることができる。
【００６０】
（実施の形態  ２．）
図６は、本発明の実施の形態２に係る表示装置１１を備えるテレビジョン受信機１の上端部の内部構成を示す断面図である。
図７は、表示装置１１が備える枠部材４１〜４３の構成を示す斜視図である。
図８は、枠部材４１，４２の構成を示す拡大斜視図である。
図６〜図８は、実施の形態１の図２〜図４に対応している。
本実施の形態のテレビジョン受信機１は、実施の形態１のテレビジョン受信機１と略同様の構成である。以下では、実施の形態１との差異について説明し、その他、実施の形態１に対応する部分には同一符号を付してそれらの説明を省略する。
【００６１】
枠部材４１の天後壁部４１２は、接触部５０、先細リブ５２、ほぞ穴５７，５７、２個の位置決め孔５８，５８、及び４個の挿通孔５９，５９，…を有しており、凸条部５１、条状部５３，５３、位置決め孔５４，５４、及び挿通孔５５，５５を有していない。
接触部５０は、天後壁部４１２の下端部に、天後壁部４１２の左右両端部に亘って設けられている。接触部５０は、天後壁部４１２の内面（前面）における凹状部分である。天後壁部４１２の外面（後面）における接触部５０に対応する部分は凸状である。
【００６２】
ほぞ穴５７，５７は、天後壁部４１２の左右両端部における上下方向中央部に１個ずつ、天後壁部４１２を切り欠くようにして設けられている。各ほぞ穴５７は、本発明の実施の形態における互いに係合し、板枠部３２に面方向に設けられている凹凸の一方であり、他方は後述するほぞ６７である。
位置決め孔５８，５８は、天後壁部４１２における接触部５０の左右両端部に１個ずつ形成してある。
４個の挿通孔５９，５９，…は、天後壁部４１２の左右両端部におけるほぞ穴５７，５７よりも左右方向中央部側に２個ずつ形成してある。
【００６３】
枠部材４２の左後壁部４２２は、先細リブ６２、ほぞ６７、位置決めピン６８、及び挿通孔６９を有しており、接触部６０、凹条部６１、近接部６３，６３、位置決めピン６４、挿通孔６５、及び補強リブ６６，６６を有していない。
ほぞ６７は、左後壁部４２２の上端部左側から、左後壁部４２２の矩形の左上隅部分（即ち切り欠き状に欠落している部分）に突出している縦姿勢の平板状である。ほぞ６７の形状は、ほぞ穴５７の形状に対応する。
【００６４】
位置決めピン６８は、左後壁部４２２の上端部の外面におけるほぞ６７よりも下側の位置に突設してある。位置決めピン６８は円柱状であり、位置決めピン６８の外径は、位置決めピン６８を枠部材４１の位置決め孔５８に遊挿可能な長さである。
挿通孔６９は、ほぞ６７に形成してある。
背面カバー１５には、ネジ７０を挿通すべき挿通孔が形成されている。
【００６５】
次に、枠部材４１と枠部材４２との継合、及び枠体３の表示部２に対する取り付けについて説明する。
製造者は、枠部材４１の左端部に対して枠部材４２の上端部を枠部材４１の左側から右方向に突き合わせる。
このために、製造者は、枠部材４２の位置決めピン６８を、枠部材４１の右端部側の位置決め孔５８に後ろ側から挿入する。
位置決めピン６８の位置決め孔５８に対する挿入によって、枠部材４１，４２が互いに位置決めされる。更に、枠部材４１の接触部５０が、枠部材４２の左後壁部４２２における位置決めピン６８の周囲を含む外面に着脱可能に接触する。
【００６６】
次に、製造者は、枠部材４１のほぞ穴５７と枠部材４２のほぞ６７とを係合させる。このとき、ほぞ６７はほぞ穴５７に嵌め込まれ、ほぞ６７の周縁部がほぞ穴５７の周縁部と係脱可能に係合する。
以上の結果、枠部材４１と枠部材４２とが継合する。同様にして、枠部材４１と枠部材４３とが継合する。また、枠部材４２と枠部材４４とが継合し、枠部材４３と枠部材４４とが継合する。
【００６７】
製造者は、継合された枠部材４１，４２を含む枠体３を、背面側から表示部２の周縁部に配置する。次に、製造者は、表示部２及び枠体３の背面側に背面カバー１５を配置する。更に、製造者は、枠部材４１の挿通孔５９，５９，…、枠部材４２の挿通孔６９及び夫々に１本ずつネジ７０，７０，…を挿通し、枠部材４１の天後壁部４１２及び枠部材４２の左後壁部４２２と表示部２のＢＬシャーシ２５と背面カバー１５とを共締めする。
以上の結果、枠体３は表示部２に取り付けられて表示部２の周縁部を外周側及び背面側から覆う。
【００６８】
枠部材４１，４２の継合に関する作用効果は、実施の形態１の場合と略同様である。
ただし、枠部材４１のほぞ穴５７と枠体４３のほぞ６７との係合は、枠部材４１の天後壁部４１２及び枠部材４２の左後壁部４２２夫々の面方向の凹凸による係合であるので、外部から視認し易い。故に、凹凸の係合作業の作業性が向上されるという利点がある。
【００６９】
以上のようなテレビジョン受信機１は、実施の形態１のテレビジョン受信機１と同様の作用効果を奏する。
【００７０】
（実施の形態  ３．）
図９は、本発明の実施の形態３に係る表示装置１１を備えるテレビジョン受信機１の上端部の内部構成を示す断面図である。図９は、実施の形態２の図６に対応している。
本実施の形態のテレビジョン受信機１は、実施の形態２のテレビジョン受信機１と略同様の構成である。以下では、実施の形態２との差異について説明し、その他、実施の形態２に対応する部分には同一符号を付してそれらの説明を省略する。
【００７１】
枠部材４１の天壁部４１１は、突出リブ７１（突出部）及び凸条係合部７２（係合部）を有する。
突出リブ７１は、天壁部４１１の内面（下面）に突設されており、天壁部４１１の左右両端部に亘って左右方向に配されている縦姿勢の平板状である。突出リブ７１の左右方向の長さは、天壁部４１１よりも短い。故に、天壁部４１１の左右両端部は、突出リブ７１よりも左右両方向に突出している。
凸条係合部７２は、突出リブ７１の先端部に凸設されており、突出リブ７１の左右両端部に亘って左右方向に配されている。
【００７２】
枠部材４２の左壁部４２１は、突出板部７３（突出部）及び凹条係合部７４（係合部）を有する。
突出板部７３は、左壁部４２１の内面（右面）における上端部に突設されている横姿勢の板状であり、枠部材４１の天壁部４１１と同様に湾曲している。突出板部７３の前後方向の長さは、左壁部４２１よりも短い。突出板部７３の後端部は、左後壁部４２２に一体である。突出板部７３の厚みは、枠部材４１の突出リブ７１の突出量と同程度である。
凹条係合部７４は、突出板部７３の前辺部の下部に凹設されており、突出板部７３の左右両端部に亘って左右方向に配されている。
【００７３】
枠部材４１と枠部材４２との継合、及び枠体３の表示部２に対する取り付けは、実施の形態２のそれらと同様である。
ただし、本実施の形態では、製造者は、枠部材４１のほぞ穴５７と枠部材４２のほぞ６７とを係合させると共に、枠部材４１の凸条係合部７２と枠部材４２の凹条係合部７４とを係合させる。このとき、凸条係合部７２が凹条係合部７４の内面に着脱可能に接触する。
以上の結果、枠部材４１と枠部材４２とが継合する。
なお、突出リブ７１〜凹条係合部７４は、実施の形態１の枠部材４１，４２に設けてあってもよい。
【００７４】
枠部材４１，４２の継合に関する作用効果は、実施の形態２の場合と略同様である。
ただし、ほぞ穴５７とほぞ６７との係合のみならず、凸条係合部７２と凹条係合部７４との係合によって枠部材４１，４２が継合されるので、枠部材４１による枠部材４２の補強が実施の形態２の場合よりも強固になる。従って、枠体３の歪みが生じることが更に抑制される。
以上のようなテレビジョン受信機１は、実施の形態２のテレビジョン受信機１と同様の作用効果を奏する。
【００７５】
本実施の形態の枠部材４１，４２においては、天後壁部４１２及び左後壁部４２２が接触していなくてもよい。
【００７６】
最後に、本発明の実施の形態についてまとめる。
【００７７】
本発明に係る表示装置１１は、盤状の表示部２と、該表示部２の周縁部を外周側から覆う板状の枠本体３１、及び、該枠本体３１から内側に突出し、前記表示部２の周縁部を一面側から覆う板枠部３２を有する断面Ｌ字状の枠体３とを備え、該枠体３は、複数個の枠部材４１〜４４を前記枠体３の周方向に突き合わせて継合してなり、各枠部材４１〜４４は、前記枠本体３１及び板枠部３２夫々の一部を有している表示装置１１であって、隣り合う２個の枠部材４１〜４４の一方は合成樹脂を用いてなり、他方は金属を用いてなり、前記２個の枠部材４１〜４４夫々の板枠部３２には、前記２個の枠部材４１〜４４同士を継合するための互いに係合する凸状部５１及び凹状部６１又はほぞ穴５７及びほぞ６７が設けられており、前記一方が有する板枠部３２の外面の一部は、前記他方が有する板枠部３２の内面の一部に接触していることを特徴とする。
【００７８】
本発明に係る表示装置１１は、前記外面の一部は前記外面の他部に対して凹状であるか、又は、前記内面の一部は前記内面の他部に対して凹状であることを特徴とする。
【００７９】
本発明に係る表示装置１１は、前記凸状部５１及び凹状部６１は、各板枠部３２に、厚み方向に設けられていることを特徴とする。
【００８０】
本発明に係る表示装置１１は、前記２個の枠部材４１〜４４夫々の板枠部３２における互いに接触する部分の一方には位置決めピン６４，６８が突設されており、他方には前記位置決めピン６４，６８が遊挿される位置決め孔５４，５８が開設されていることを特徴とする。
【００８１】
本発明に係る表示装置１１は、前記２個の枠部材４１〜４４の内、一方には前記２個の枠部材４１〜４４を突き合わせる方向に沿う条状部５３が設けられており、他方には前記条状部５３に近接配置された近接部６３が設けられていることを特徴とする。
【００８２】
本発明に係る表示装置１１は、前記２個の枠部材４１〜４４夫々は前記枠本体３１から内側に突出した突出リブ７１及び突出板部７３を有し、該突出リブ７１及び突出板部７３同士に、枠部材４１〜４４同士を継合するための互いに係合する凸条係合部７２及び凹状係合部７４が設けられていることを特徴とする。
【００８３】
本発明に係る表示装置１１は、盤状の表示部２と、該表示部２の周縁部を外周側から覆う板状の枠本体３１、及び、該枠本体３１から内側に突出し、前記表示部２の周縁部を一面側から覆う板枠部３２を有する断面Ｌ字状の枠体３とを備え、該枠体３は、複数個の枠部材４１〜４４を前記枠体３の周方向に突き合わせて継合してなり、各枠部材４１〜４４は、前記枠本体３１及び板枠部３２夫々の一部を有している表示装置１１であって、隣り合う２個の枠部材４１〜４４の一方は合成樹脂を用いてなり、他方は金属を用いてなり、前記２個の枠部材４１〜４４夫々の板枠部３２には、前記２個の枠部材４１〜４４同士を継合するための互いに係合する凸状部５１及び凹状部６１又はほぞ穴５７及びほぞ６７が設けられており、前記２個の枠部材４１〜４４夫々は前記枠本体３１から内側に突出した突出リブ７１及び突出板部７３を有し、該突出リブ７１及び突出板部７３同士に、枠部材４１〜４４同士を継合するための互いに係合する凸条係合部７２及び凹状係合部７４が設けられていることを特徴とする。
【００８４】
本発明に係るテレビジョン受信機１は、本発明に係る表示装置１１と、テレビジョン放送を受信する受信部１２とを備え、該受信部１２にて受信したテレビジョン放送に基づいて、前記表示装置１１に映像を表示するようにしてあることを特徴とする。
【００８５】
本発明にあっては、樹脂枠部材と金属枠部材とが枠体の周方向に隣り合う。
隣り合うべき２個の枠部材において、夫々の板枠部に設けられている凹凸を係合させると、２個の枠部材は容易に継合される。このとき、樹脂枠部材の板枠部の外面の一部は、金属枠部材の板枠部の内面の一部に接触する。
【００８６】
金属枠部材は、自身の剛性が高いので、歪みを生じ難い。
一方、樹脂枠部材は、自身の剛性こそ低いものの、金属枠部材との継合により、歪みの発生が抑えられる。何故ならば、樹脂枠部材及び金属枠部材夫々の板枠部に設けられている凹凸が係合し、更に板枠部同士が接触しているので、樹脂枠部材が金属枠部材に補強されるからである。
【００８７】
樹脂枠部材の板枠部が金属枠部材の板枠部に金属枠部材の内側から接触している理由は、表示装置において、樹脂枠部材は、枠本体を中心に板枠部が樹脂枠部材の外側へ向けて回転するような歪みを生じ易いからである。樹脂枠部材の板枠部が回転しようとしても、金属枠部材の板枠部に当接するので回転は停止する。故に、樹脂枠部材の歪みは抑制される。
以上の結果、枠部材の歪みのせいで、枠体における枠部材同士の継合部分に無用な隙間が生じてしまうことが抑制される。
【００８８】
隣り合う２個の枠部材は、視覚的な印象が互いに異なる素材を用いてなる。故に、表示装置の意匠性が向上する。
【００８９】
本発明にあっては、樹脂枠部材の板枠部の外面の一部は他部に対して凹状であるので、樹脂枠部材の板枠部の外面の他部と金属枠部材の板枠部とが面一になりやすい。又は、金属枠部材の板枠部の内面の一部は他部に対して凹状であるので、金属枠部材の板枠部の内面の他部と樹脂枠部材の板枠部とが面一になりやすい。つまり、樹脂枠部材及び金属枠部材の板枠部同士の接触構造がコンパクトである。
凹状部分の周縁部に対する板枠部の外縁部の係合が生じる場合には、枠部材の歪みは更に抑制される。
【００９０】
本発明にあっては、隣り合うべき２個の枠部材において、夫々の板枠部の厚み方向の凹凸が係合する。
厚み方向の凹凸は、面方向の凹凸に比べて、凹凸の係合が外部から視認し難いので、枠体の美観が向上する。
【００９１】
本発明にあっては、隣り合うべき２個の枠部材において、一方の枠部材の板枠部に突設されている位置決めピンを他方の枠部材の板枠部に開設されている位置決め孔に挿入することによって、２個の枠部材が互いに位置決めされ、更に位置決めピン又は位置決め孔が設けられている板枠部同士が接触する。
互いに位置決めされた２個の枠部材において、夫々の板枠部に設けられている凹凸を係合させると、２個の枠部材は容易に継合される。このとき、位置決めピンは位置決め孔に遊びを有して挿入されているので、位置決めのための係合が、継合のための凹凸の係合を阻害する虞はない。以上のことから、枠部材同士の継合の作業性が高い。
【００９２】
位置決め孔は板枠部を貫通しているので、正面側及び背面側の何れから見ても、位置決め孔の位置は容易に視認される。即ち、位置決め孔に替えて非貫通の位置決め穴が設けられている場合に比べて、位置決めの作業性が高い。
作業性が向上すると、作業性が悪い場合に比べて、製造者が枠部材に無用な外力を加えてしまう可能性が低い。故に、枠部材同士の継合時に枠体に歪みが生じることが更に抑制される。
【００９３】
本発明にあっては、隣り合うべき２個の枠部材を継合する場合、一方の枠部材に設けられている条状部に、他方の枠部材に設けられている近接部が案内される。このとき、一方の枠部材に対して他方の枠部材が容易に正確に突き合わさせる。故に、枠部材同士の継合の作業性が向上される。
作業性が向上すると、作業性が悪い場合に比べて、製造者が枠部材に無用な外力を加えてしまう可能性が低い。故に、枠部材同士の継合時に枠体の歪みが生じることが更に抑制される。
【００９４】
本発明にあっては、隣り合うべき２個の枠部材において、夫々の板枠部に設けられている凹凸の係合のみならず、夫々の枠本体から内側に突出した突出部に設けられている係合部同士の係合によって枠部材同士が継合される。故に、樹脂枠部材が金属枠部材に更に補強されるので、枠体の歪みが生じることが更に抑制される。
【００９５】
本発明にあっては、樹脂枠部材と金属枠部材とが枠体の周方向に隣り合う。
隣り合うべき２個の枠部材において、夫々の板枠部に設けられている凹凸を係合させると、２個の枠部材は容易に継合される。このとき、樹脂枠部材の板枠部の外面の一部は、金属枠部材の板枠部の内面の一部に接触する。
【００９６】
金属枠部材は、自身の剛性が高いので、歪みを生じ難い。
一方、樹脂枠部材は、自身の剛性こそ低いものの、金属枠部材との継合により、歪みの発生が抑えられる。何故ならば、樹脂枠部材及び金属枠部材夫々の板枠部に設けられている凹凸が係合し、更に、樹脂枠部材及び金属枠部材夫々の枠本体から内側に突出した突出部に設けられている係合部同士が係合しているので、樹脂枠部材が金属枠部材に補強されるからである。
【００９７】
表示装置において、樹脂枠部材は、枠本体を中心に板枠部が樹脂枠部材の外側へ向けて回転するような歪みを生じ易い。しかしながら、樹脂枠部材の板枠部が回転しようとしても、樹脂枠部材の枠本体及び板枠部が両方とも金属枠部材の枠本体及び板枠部に係合しているので、回転は停止する。故に、樹脂枠部材の歪みは抑制される。
以上の結果、枠部材の歪みのせいで、枠体における枠部材同士の継合部分に無用な隙間が生じてしまうことが抑制される。
【００９８】
隣り合う２個の枠部材は、視覚的な印象が互いに異なる素材を用いてなる。故に、表示装置の意匠性が向上する。
【００９９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１又は表示装置１１に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【０１００】
１    テレビジョン受信機
１１  表示装置
１２  受信部
２    表示部
３    枠体
３１  枠本体
３２  板枠部
４１〜４４  枠部材
５１  凸条部（凹凸）
５３  条状部
５４，５８  位置決め孔
５７  ほぞ穴（凹凸）
６１  凹条部（凹凸）
６３  近接部
６４，６８  位置決めピン
６７  ほぞ（凹凸）
７１  突出リブ（突出部）
７２  凸条係合部（係合部）
７３  突出板部（突出部）
７４  凹条係合部（係合部）
【図１】
2016066950.tif 000003
【図２】
2016066950.tif 000004
【図３】
2016066950.tif 000005
【図４】
2016066950.tif 000006
【図５】
2016066950.tif 000007
【図６】
2016066950.tif 000008
【図７】
2016066950.tif 000009
【図８】
2016066950.tif 000010
【図９】
2016066950.tif 000011